(57)【要約】      （修正有）【課題】従来の位牌は、遺品などを格納するにあたって、台座から木板を引き抜くという粗雑な操作が不可欠であり、尊い礼拝物に対する取り扱いに抵抗感を生じていた。【解決手段】本考案の位牌は、台座１の上部に戒名札２（木札）を樹立固定したものであって、上記戒名札２（木札）の背面側に外方へ開口する遺骨などの収納部３を設けると共に、この戒名札２（木札）の背面側に、上方へ開口する上下のスライドガイド５を設ける。スライドガイド５に俗名札６（蓋板）をスライド自在に装着し、この俗名札６（木札）のスライドによって前記遺骨などの収納部３を開閉するようにした。【選択図】図１
0003141307.tif 000002
【実用新案登録請求の範囲】
【請求項１】
台座の上部に木札を樹立固定した位牌であって、上記木札の表面側または背面側の何れか一方に外方へ開口する遺骨などの収納部を設けると共に、この木札に上方へ開口する上下のスライドガイドを設け、このスライドガイドに蓋板をスライド自在に装着し、蓋板のスライドによって前記遺骨などの収納部を開閉するようにしたことを特徴とする位牌。
【請求項２】
木札を戒名札として、この戒名札の背面側に遺骨などの収納部を設ける一方、蓋板を俗名札とし、この俗名札のスライドによって遺骨などの収納部を開閉するようにした請求項１の位牌。
【請求項３】
木札を俗名札として、この俗名札表面側に遺骨などの収納部を設ける一方、蓋板を戒名札とし、この戒名札のスライドによって遺骨などの収納部を開閉するようにした請求項１の位牌。
【考案の詳細な説明】
【技術分野】
【０００１】  本考案は、内部に遺品などを格納することによって身近に故人を偲ぶことができるようにした位牌の改良に関するものである。
【背景技術】
【０００２】  位牌を構成する台座、木札の適所に収納室を設け、この収納室内に故人の遺骨あるいは所縁の遺品などを格納するようにした位牌が従来から多々提案されている。【０００３】  これら従来のものは、登録実用新案第３０４１０６７号、登録実用新案第３０８３０９３号、特開平１１−４６９６８号などによって開示される。
【考案の開示】
【考案が解決しようとする課題】
【０００４】  上記の例示された位牌は、何れも台座上に備えた木札内に収納室を設け、この収納室に遺品などを格納する形式のものであるが、構成上においてさらには使用上において、次の共通した問題点、不具合があり、なお改善が求められていた。【０００５】  すなわち、これら考案のものは位牌の主体を構成する台座、木札、蓋体をそれぞれ別体にしたものであり、遺品などを格納するにあたってはまず、台座に嵌合した木札を引き抜き、次いで木札に嵌った蓋板を取り外すようにする。そして、このようにして初めて開放された収納室内に遺品などを格納する。【０００６】  格納後は、前記と逆の手順で収納室を蓋板により閉塞し、遺品が格納された木札を台座に嵌合して、一連の作業を終了する。このように従来のもは台座、木札、蓋体の三者を分解しないと格納ができなかった。【０００７】  ここで、木札と台座の嵌合は、長期の耐久性を考慮して非常に緊密である。このため、仕上状態が良いもの程強い力を加えて強引に引き抜くことを余儀なくされるが、このような所為は、尊い礼拝物に対して畏敬の念をいだく者にとって大きな抵抗を感じることになる。【０００８】  また宗教上において、位牌は本尊を形而するものとされる。従って、位牌主体をみだりに分離したり、或いは格納の際に上下反転することは、奨励されることではなくむしろ忌み嫌われることでもある。
【課題を解決するための手段】
【０００９】  本考案は、上記した課題を解決するためになされたものであり、請求項１の考案は、台座の上部に木札を樹立固定した位牌であって、上記木札の表面側または背面側の何れか一方に外方へ開口する遺骨などの収納部を設けると共に、この木札に上方へ開口する上下のスライドガイドを設け、このスライドガイドに蓋板をスライド自在に装着し、蓋板のスライドによって前記遺骨などの収納部を開閉するようにしたことを特徴とするものである。【００１０】  請求項２の考案は、木札を戒名札として、この戒名札の背面側に遺骨などの収納部を設ける一方、蓋板を俗名札とし、この俗名札のスライドによって遺骨などの収納部を開閉したことによって課題を解決したものである。【００１１】  請求項３の考案は、木札を俗名札として、この俗名札表面側に遺骨などの収納部を設ける一方、蓋板を戒名札とし、この戒名札のスライドによって遺骨などの収納部を開閉したしたことによって課題を解決したものである。
【考案の効果】
【００１２】  本考案の位牌は、蓋板を上方へスライドするだけで木札にある遺骨などの収納部を開放することができる。このため、尊い礼拝物を立てたままの姿勢で、しかも粗雑な操作を一切伴うこともなく遺骨などの格納を手際良く行なうことができる。また台座と木札とを一体的に構成することができるので、工作が容易であり、しかも耐久性の飛躍的な向上を期待できるものである。
【考案を実施するための最良の形態】
【００１３】  木札を戒名札としたときは、この背面側に遺品などの収納部と上方へ開口するスライドガイドを設ける。そして、このスライドガイドに蓋板としての俗名札をスライド自在に装着する。この俗名札の上下スライドよって収納部を開閉し、遺骨などを格納する。【００１４】  木札を俗名札としたときは、この前面側に遺品などの収納部と上方へ開口するスライドガイドを設ける。そして、このスライドガイドに蓋板としての戒名札をスライド自在に装着する。この戒名札の上下スライドよって収納部を開閉し、遺骨などを格納する。
【実施例１】
【００１５】  以下、本考案に係る位牌の一実施例について具体的に説明する。図１ば分解斜視図  図２は縦断側面図  図３は図２に示すＸ−Ｘ線で切断して示す平面図であり、１は台座  ２は台座１の上部に樹立固定した戒名札（木札）  ３は戒名札２の背面側に後方へ開放するように設けた遺骨など４の収納部  ５は戒名札２の背面側にして後方および上方へ開口するように設けたスライドガイド  ６はスライドガイド５にスライド自在に装着した俗名札（蓋板）である。【００１６】  上記の台座１、戒名札２、俗名札６は位牌の主体をなすものであり、戒名札２には故人の戒名を、俗名札６には生前の氏名などを記載する。また収納部３に格納する遺骨など４は、故人所縁の遺品（毛髪、指輪、）などであっても良いことは勿論である。【００１７】  また上記のスライドガイド５と俗名札６とは周知のアリ溝とアリとの嵌合状態を構成し、上下方向のみのスライドを許容する。また上下のスライド端において、俗名札６がガタつかないようにするために適宜の係止手段を設けることは容易である。
【実施例２】
【００１８】  図４から図６は、本考案に係る位牌の第２の実施例を示すもので、図４は分解斜視図  図５は縦断側面図  図６は図５のＹ−Ｙ線で切断して示す平面図である。【００１９】  図において１１は台座  １２は台座１１の上部に樹立固定した俗名札（木札）であり、前面側に前方へ開口する遺骨など４の収納部１３を設ける。１５は俗名札１２の前面側にして前方および上方へ開口するように設けたスライドガイド  １６はスライドガイド１５にスライド自在に装着した戒名札（蓋板）である。【００２０】  上記の台座１１、戒名札１６、俗名札１２は位牌の主体をなすものであり、戒名札１６には故人の戒名を、俗名札１２には生前の氏名などを記載する。また収納部１３に格納する遺骨など４は、故人所縁の遺品（毛髪、指輪、）などであっても良いことは勿論である。【００２１】  また上記のスライドガイド１５と戒名札１６とは周知のアリ溝とアリとの嵌合状態を構成し、上下方向のみのスライドを許容する。また上下のスライド端において、戒名札１６がガタ着かないようにするために適宜の係止手段を設けることは容易である。
【図面の簡単な説明】
【００２２】
【図１】  本考案に係る位牌の第一の実施例を示す斜視図である。
【図２】  同じく、縦断側面図である。
【図３】  同じく、図２のＸ−Ｘ線で切断して示す平面図である。
【図４】  本考案に係る位牌の第二の実施例を示す斜視図である。
【図５】  同じく、縦断側面図である。
【図６】  同じく、図５のＹ−Ｙ線で切断して示す平面図である。
【符号の説明】
１  台座
２  戒名札（木札）
３  収納部
４  遺骨など
５  スライドガイド
６  俗名札（蓋板）
１１  台座
１２  俗名札（木札）
１３  収納部
１５  スライドガイド
１６  戒名札（蓋板）
【図１】
0003141307.tif 000003
【図２】
0003141307.tif 000004
【図３】
0003141307.tif 000005
【図４】
0003141307.tif 000006
【図５】
0003141307.tif 000007
【図６】
0003141307.tif 000008